【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
可搬型の医療診断器具において、
ディスプレイ及び処理ユニットと；
検査対象に関する情報を識別するよう構成された少なくとも１のセンサを有する少なくとも１のプローブユニットであって、前記プローブは出力として医療診断データを作成するよう構成され、それぞれが異なるタイプの診断データを作成して前記器具に対して異なる医療診断機能を発揮させ得る複数のプローブユニットタイプから選択されるタイプのプローブユニットと；
前記プローブユニットを前記ディスプレイ及び処理ユニットに取り外し可能に接続するインターフェースと；
を具え、
前記ディスプレイ及び処理ユニットは、前記プローブユニットから前記診断データを受信するよう構成されており、
プローブユニットを前記ディスプレイ及び処理ユニットに接続中に、前記プローブユニットによって出力される前記診断データのタイプを示す識別及び仕様データが前記プローブユニットから前記ディスプレイ及び処理ユニットに通信され；
前記ディスプレイ及び処理ユニットは、プログラムを選択して実行し、前記選択されるタイプのプローブユニットによって出力される前記診断データのタイプに適した方法で前記診断データを処理し、分析し、表示するように構成されることを特徴とする器具。
【請求項２】
請求項１に記載の器具において、それぞれが特定の通信及び制御プロトコルを要する前記複数のプローブユニットタイプを、前記ディスプレイ及び処理ユニットと通信するために実装し、
前記インターフェースは、使用中、選択されたプローブユニットが前記インターフェースを介して前記ディスプレイ及び処理ユニットに接続された場合に、前記選択されたプローブユニットに関する前記特定の通信及び制御プロトコルが、前記インターフェースを構成するためにユーザの動作なしに実装されるよう構成可能であることを特徴とする器具。
【請求項３】
請求項１に記載の器具において、前記プログラムが、前記ディスプレイ及び処理ユニットへの前記プローブユニットの接続時に、前記プローブユニットのデータ保存装置からコピーされることを特徴とする器具。
【請求項４】
請求項１に記載の器具において、前記プログラムが、前記ディスプレイ及び処理ユニットへの前記プローブユニットの接続時に、前記プローブユニット及び前記ディスプレイ及び処理ユニットから遠く離れた遠隔のデータ保存装置からコピーされることを特徴とする器具。
【請求項５】
請求項１に記載の器具において、前記ディスプレイ及び処理ユニットが、前記プローブユニットとほぼ同じ大きさ及び重さであり；
前記インターフェースが、ユーザの首周りに前記器具を配置する手段を提供するのに十分な長さの伝送ケーブルを具えることを特徴とする器具。
【請求項６】
請求項２に記載の器具において、前記インターフェースが、前記診断データを前記プローブユニットから前記ディスプレイ及び処理ユニットへ伝送する少なくとも１の診断データチャネルを具えており、当該データチャネルが、データ伝送速度及びデータ伝送プロトコルのうちの少なくとも一方が使用時に設定され得るように構成可能であることを特徴とする器具。
【請求項７】
請求項６に記載の器具において、前記インターフェースがさらに、前記プローブユニットが接続されたときに前記診断データ接続が設定され得るように、前記プローブユニットから前記ディスプレイ及び処理ユニットへ、前記診断データチャネルに必要な前記データ伝送速度及びデータ伝送プロトコルに関する情報を通信する一定の速度及びプロトコルの制御データチャネルを具えることを特徴とする器具。
【請求項８】
請求項１に記載の器具において、前記インターフェースが、ユニバーサルシリアルバス（ＵＳＢ）プロトコルを用いて実装され、前記インターフェースが、前記プローブユニットと前記ディスプレイ及び処理ユニットとの間で制御及び診断データを伝送することを特徴とする器具。
【請求項９】
医療診断情報を有するデータを収集するセンサを含み、ディスプレイ及び処理ユニットとともに使用するための、医療診断データを出力として作成するプローブユニットにおいて；
前記プローブユニットを前記ディスプレイ及び処理ユニットに取り外し可能に接続するインターフェースであって、前記プローブユニットと前記ディスプレイ及び処理ユニットとの間でデータ通信を伝送し得る第１の通信チャネルを有するインターフェースと；
前記ディスプレイ及び処理ユニットへの前記プローブユニット及びその診断機能を識別するために、前記ディスプレイ及び処理ユニットに通信されるデータを保存するデータ保存装置と；を具えており、
前記インターフェースが、前記プローブユニットから前記ディスプレイ及び処理ユニットに前記診断データを伝送するための少なくとも１の診断データチャネルを有しており、
前記診断データチャネルが、前記データチャネルによって使用されるデータ伝送速度及びデータ伝送プロトコルのうちの少なくとも一方が使用時に設定され得ることを特徴とする器具。
【請求項１０】
請求項９に記載のプローブユニットにおいて、前記第１の通信チャネルがＵＳＢ接続を介して実装され、前記チャネルが、前記プローブユニットと前記ディスプレイ及び処理ユニットとの間で制御及び診断データを伝送することを特徴とするプローブユニット。
【請求項１１】
請求項９に記載のプローブユニットにおいて、
前記センサが音響入力センサであり、
前記プローブユニットがさらに、患者の体に前記プローブユニットによって加えられる圧力の大きさを検出し得る表面圧力センサを具えており、
前記ディスプレイ及び処理ユニットが、前記表面圧力センサからのデータを処理するとともに、前記音響入力センサから受ける前記音響入力を調整して多数の空気式聴診器のうちの任意の一つの応答に整合させるためのコンピュータプログラムを有することを特徴とするプローブユニット。
【請求項１２】
請求項１に記載の器具において、前記プローブユニットが、音響入力センサ及び音響出力器具を具え、前記ディスプレイ及び処理ユニットは、前記音響出力器具を制御して音インパルスを生成するよう構成され、得られる信号を前記音響入力センサが受けることを特徴とする器具。
【請求項１３】
請求項１２に記載の器具において、前記ディスプレイ及び処理ユニットが、前記信号を周波数領域へ変換し、前記出力を前記ディスプレイ及び処理ユニットのディスプレイに表示することを特徴とする器具。
【請求項１４】
請求項１２に記載の器具において、前記プローブユニットがさらに、前記プローブユニットの位置に関する位置データを前記ディスプレイ及び処理ユニットへ送るよう構成された慣性位置測定センサを具え、
前記ディスプレイ及び処理ユニットが、前記プローブユニットの相対位置に対する前記得られる信号の特性を描く表示を作り出すために、前記位置データ及び前記得られる信号を処理することを特徴とする器具。
【請求項１５】
請求項１４に記載の器具において、前記慣性センサが、１又はそれ以上のジャイロスコープ及び加速度計であることを特徴とする器具。
【請求項１６】
請求項１に記載の器具において、前記プローブユニットが、光像を受けて、この像をデータストリームに変換する画像センサを具え、前記データストリームは、前記ディスプレイ及び処理ユニットに通信されることを特徴とする器具。
【請求項１７】
請求項１６に記載の器具において、前記プローブユニットが、耳鏡、検眼鏡、咽頭鏡、Ｓ状結腸鏡、及び結腸鏡の機能から選択される機能を提供することを特徴とする器具。
【請求項１８】
請求項１に記載の器具において、前記プローブユニットが、少なくとも一の超音波送信及び受信トランスデューサを具えており、
作成される前記診断データが超音波スキャンラインであり；
前記ディスプレイ及び処理ユニットが、前記プローブユニットに接続される際に、プログラムを実行して前記超音波スキャンラインから超音波画像を作成且つ表示することを特徴とする器具。
【請求項１９】
請求項１に記載の器具において、前記プローブユニットが、流体試料を検査するためのバイオチップを有しており、さらなる処理のために前記ディスプレイ及び処理ユニットにバイオチップのデータを伝送することを特徴とする器具。